(57)【特許請求の範囲】
【請求項１】
雨水利用槽の上部に、天井部が開閉可能な桝を備え、
該桝は、点検口として機能すると共に、内部に、前記雨水利用槽から雨水を汲み上げるための揚水手段と、該揚水手段によって汲み上げた雨水を利用して物体を洗浄した際に生じた異物が前記雨水利用槽に落下するのを防止する落下防止手段とを備えることを特徴とする地下埋設型雨水利用槽。
【請求項２】
前記揚水手段は、手動ポンプ又はバケツであることを特徴とする請求項１に記載の地下埋設型雨水利用槽。
【請求項３】
前記桝の内部に、前記手動ポンプに接続されたホースを備えることを特徴とする請求項２に記載の地下埋設型雨水利用槽。
【請求項４】
雨水利用槽の上部に、天井部が開閉可能な桝を備え、該桝は、点検口として機能すると共に、前記桝を複数備え、所定の桝に、内部に、前記雨水利用槽から雨水を汲み上げるための揚水手段を有し、前記所定の桝とは異なる桝に該揚水手段によって汲み上げた雨水を利用して物体を洗浄した際に生じた異物が前記雨水利用槽に落下するのを防止する落下防止手段を有することを特徴とする地下埋設型雨水利用槽。
【発明の詳細な説明】
【技術分野】
【０００１】
本発明は、雨水を貯留して災害時等に利用するために用いられる地下埋設型の雨水利用槽に関する。
【背景技術】
【０００２】
近年、地震等の災害が発生した際に、生活用水を確保するため、住宅地内や公園内に雨水を貯留する必要性が高まってきている。このような貯留設備の中で、貯留水を散水やトイレなどに利用する場合には、１００Ｌ〜２００Ｌ程度の地上設置型のタンクが一般的に用いられるが、これだけの容量では大規模な災害時には不十分である。
【０００３】
しかし、都市部の住宅地等では、大容量の貯留設備を設置するための広い土地を確保すること自体が困難である。また、設置スペースを確保することができても、貯留設備が周囲の景観を損ねることや、日光等の自然環境が貯留水の水質を悪化させる虞があることなどから、大容量の地上設置型の貯留設備は導入が進んでいない。
【０００４】
そこで、これらの問題を解決するため、特許文献１には、取り込んだ雨水や生活排水を減菌して貯留し、減菌後の貯留水を電動式ポンプで汲み上げ、水洗トイレ用水、洗車、散水等に利用するための地下埋設型の大型雨水利用槽が記載されている。
【０００５】
しかし、特許文献１に記載のような、電動ポンプを用いて貯留水を汲み上げる貯留槽では、災害等により停電した場合に貯留水を汲み上げることができないという問題がある。
【０００６】
そこで、特許文献２には、停電等に備え、雨水貯留槽の上部に接続された桝に手動ポンプを設置し、雨水貯留槽内の雨水を手動で汲み上げる地下埋設型雨水貯留施設が提案されている。
【先行技術文献】
【特許文献】
【０００７】
【特許文献１】特許第３５３０４４１号公報
【特許文献２】特許第４６０３４４９号公報
【発明の概要】
【発明が解決しようとする課題】
【０００８】
しかし、特許文献２に記載の地下埋設型雨水貯留施設においても、雨水貯留槽の上部の桝に手動ポンプを設置するため、地下埋設型雨水貯留施設の一部が手動ポンプに専有されるという問題がある。
【０００９】
これに加え、手動ポンプが故障したり、動作不良に陥った場合には、貯留した雨水を利用することができないという問題がある。
【００１０】
そこで、本発明は、上記従来の技術における問題点に鑑みてなされたものであって、雨水利用槽内部のスペースを有効利用することができると共に、手動ポンプが故障したような場合でも対応することができるなど、使い勝手のよい地下埋設型雨水利用槽を提供することを目的とする。
【課題を解決するための手段】
【００１１】
上記目的を達成するため、本発明は、地下埋設型雨水利用槽であって、雨水利用槽の上部に、天井部が開閉可能な桝を備え、該桝は、点検口として機能すると共に、内部に、前記雨水利用槽から雨水を汲み上げるための揚水手段と、該揚水手段によって汲み上げた雨水を利用して物体を洗浄した際に生じた異物が前記雨水利用槽に落下するのを防止する落下防止手段とを備えることを特徴とする。
【００１２】
そして、本発明によれば、点検口として機能する桝に、雨水利用槽から雨水を汲み上げるための揚水手段を設けたため、雨水利用槽内部のスペースを有効利用することができると共に、貯留した雨水を容易に汲み上げることができる。また、点検口として機能する桝の内部は、比較的広い空間となっているため、揚水手段を容易に出し入れすることができる。
さらに、桝の内部に落下防止手段を備えることにより、雨水利用槽内の雨水を物体の洗浄に利用することができると共に、その際に生じた異物が雨水利用槽に落下するのを防止することで、雨水利用槽に貯留した雨水の利用の際に妨げとなるのを回避することができる。
【００１３】
上記地下埋設型雨水利用槽において、前記揚水手段を手動ポンプ又はバケツとすることができ、バケツを設置することで、手動ポンプが故障したような場合でも容易に対応することができる。
【００１４】
また、上記地下埋設型雨水利用槽において、前記桝の内部に、前記手動ポンプに接続されたホースを備えることができ、予めホースを接続しておくことで、ホースを利用して雨水利用槽内の雨水を迅速に使用することができる。
【００１５】
さらに、上記地下埋設型雨水利用槽において、雨水利用槽の上部に、天井部が開閉可能な桝を備え、該桝は、点検口として機能すると共に、前記桝を複数備え、所定の桝に、内部に、前記雨水利用槽から雨水を汲み上げるための揚水手段を有し、前記所定の桝とは異なる桝に該揚水手段によって汲み上げた雨水を利用して物体を洗浄した際に生じた異物が前記雨水利用槽に落下するのを防止する落下防止手段を有するように構成することができる。
【図面の簡単な説明】
【００１６】
【図１】本発明に係る地下埋設型雨水利用槽の第１の実施形態を示す図であって、（ａ）は正面図、（ｂ）は上面図、（ｃ）は底面図である。
【図２】図１の地下埋設型雨水利用槽を埋設した状態を示す断面図である。
【図３】本発明に係る地下埋設型雨水利用槽の第２の実施形態を示す図であって、（ａ）は正面断面図、（ｂ）は上面図である。
【図４】本発明に係る地下埋設型雨水利用槽の第３の実施形態を示す断面図である。
【発明を実施するための形態】
【００１７】
次に、本発明を実施するための形態について、図面を参照しながら詳細に説明する。
【００１８】
図１は、本発明に係る地下埋設型雨水利用槽（以下、「雨水利用槽」と略称する）の第１の実施形態を示し、この雨水利用槽１は、大別して、面板部材３〜５と、側板部材９とを組み合わせて形成された槽本体２と、槽本体２の上部に設けられ、天井部が開閉可能な２つの桝７（７Ａ、７Ｂ）とで構成される。尚、図１（ｂ）は、図１（ａ）に示した桝７の蓋７ａを外した状態を示している。
【００１９】
面板部材３〜５、及び側板部材９は、プラスチック材料や、プラスチック材料と無機粉体とを混合した複合材料で成形され、これらの使用枚数を増減することで、雨水利用槽１の全体寸法を適宜調整することができる。
【００２０】
面板部材３は、全体的に略々正四角形状に形成され、少なくとも２組の対向辺組を有する。面板部材３には、多数の開口部３ａが穿設されると共に、相対向する２辺は互いに対応する位置に凸部３ｂ及び凹部３ｃを有する。
【００２１】
面板部材４も、面板部材３と同様に、全体的に略々正四角形状に形成され、少なくとも２組の対向辺組を有する。面板部材４には、多数の開口部４ａが穿設されると共に、相対向する２辺は互いに対応する位置に凸部４ｂ及び凹部４ｃを有する。図１（ｂ）において、右上に位置する面板部材４の中央部には、円形の開口部４ｄが穿設される。また、開口部４ｄには、支持部材４ｅの中央部に手動ポンプ取付口４ｆが穿設される。一方、左下に位置する面板部材４の開口部４ｈには、底版フィルタ４ｇが設けられる。
【００２２】
面板部材５も、面板部材３、面板部材４と同様に、全体的に略々正四角形状に形成され、少なくとも２組の対向辺組を有する。面板部材５には、多数の開口部５ａが穿設されると共に、相対向する２辺は互いに対応する位置に凸部５ｂ及び凹部５ｃを有する。面板部材５の中央部には、コーナー部を有する正方形状に開口部５ｄが穿設される。
【００２３】
上記面板部材３及び面板部材４は、各々の凸部３ｂと凹部４ｃとが、また、凹部３ｃと凸部４ｂとが鳩尾継を構成して結合される。また、隣接する面板部材５も、凸部５ｂと凹部５ｃとが、鳩尾継を構成して結合される。
【００２４】
側板部材９は、多数の開口部９ａを有すると共に、コーナーアングル９ｂを介して直交する２つの面を含むＬ形の形状を有する。側板部材９をＬ形ではなく、平板状に形成してもよい。側板部材９は、面板部材３〜５の一面と、凹凸嵌合により結合される。隣接する上下の側板部材９は、中間板１０によって連結される。
【００２５】
上記のようにして組み立てられた槽本体２の上部には、面板部材４の開口部４ｄ及び開口部４ｈの開口形状に合わせて形成された桝７が設けられる。桝７の天井部には、開閉可能な蓋７ａが装着される。槽本体２の桝７の部分を除く全面は、遮水シート１１で覆い、槽本体２に貯留した雨水が漏れないように構成される。
【００２６】
図１（ｂ）において、右上に位置する桝７Ａは、取水用の点検口として機能する。また、左下に位置する桝７Ｂには、流入管（不図示）が接続されると共に、桝７Ｂは、流入管接続用の点検口として機能する。
【００２７】
図２は、上記構成を有する雨水利用槽１を地下に埋設した状態を示し、桝７の蓋７ａが地面Ｇと同一レベルになるように埋設される。手動ポンプ取付口４ｆに手動ポンプ１２が装着され、手動ポンプ１２を操作することで、槽本体２の内部に貯留された雨水Ｗを矢印方向に排出することができる。
【００２８】
上記構成を有する雨水利用槽１は、図２に示した状態で埋設され、地上に降った雨水が桝７（図１（ｂ）において左下に位置する桝７Ｂ）に接続された流入管（不図示）から槽本体２の内部に流入し、貯留される。そして、地震等の災害が発生した際には、蓋７ａを開けて手動ポンプ１２を操作し、汲み上げた雨水Ｗを生活用水として利用することができる。
【００２９】
以上のように、上記実施の形態においては、槽本体２の上部に位置し、点検口として機能する桝７に槽本体２から雨水を汲み上げるための揚水手段としての手動ポンプ１２を設けたため、雨水利用槽１の内部のスペースを有効利用することができると共に、貯留した雨水Ｗを容易に汲み上げることができる。
【００３０】
尚、上記実施の形態においては、桝７に手動ポンプ１２を設けたが、手動ポンプ１２と共に、あるいは手動ポンプ１２に代えてバケツを収容しておくことで、手動ポンプ１２が故障した場合にバケツを利用して槽本体２から雨水Ｗを汲み上げることができる。
【００３１】
図３は、本発明に係る雨水利用槽の第２の実施形態を示し、この雨水利用槽３１は、上記第１の実施形態における雨水利用槽１と同様に構成された槽本体２及び桝７を備え、左側の桝７Ｂに手動ポンプ１２と、手動ポンプ１２に接続されたホース３２とを備えることが雨水利用槽１と異なる。
【００３２】
この雨水利用槽３１の桝７Ｂは、流入管（不図示）が接続されると共に、流入管接続用の点検口として機能すると共に、上述のように、手動ポンプ１２に接続されたホース３２を収容しているため、雨水利用槽３１の内部のスペースを有効利用することができると共に、貯留した雨水Ｗをホース３２を利用して迅速に使用することができる。
【００３３】
図４は、本発明に係る雨水利用槽の第３の実施形態を示し、この雨水利用槽４１は、上記第３の実施形態における雨水利用槽３１の構成に加え、桝７Ａの内部にバケツ４２と、底部に網目の細かいプラスチック製の網状又は金網状のごみ除去フィルタ４３とを備え、バケツ４２を用いて、桝７Ａの内部で手動ポンプ１２によって揚水した雨水Ｗを利用して汚れた物を洗浄し、その際に生じた異物をごみ除去フィルタ４３によって槽本体２の内部に落下するのを防止することができ、雨量の少ない時期に槽本体２に貯留した雨水Ｗを再利用して、雨水Ｗを効率よく利用することができる。
【００３４】
尚、上記実施の形態においては、面板部材３〜５と、側板部材９とを組み合わせて形成された槽本体２を有する雨水利用槽１等を例示したが、槽本体２の構造は、上記実施の形態に限定されることなく、雨水利用槽として利用することができる槽本体であれば、本発明を適用することができる。
【００３５】
また、桝７の設置数も２つに限定されることなく、１つであっても３つ以上であっても、点検口として機能する桝であれば、槽本体２に貯留された雨水を汲み上げる手動ポンプ１２等の揚水手段を収容し、本発明に係る地下埋設型雨水利用槽を構成することができる。
【符号の説明】
【００３６】
１  地下埋設型雨水利用槽
２  槽本体
３  面板部材
３ａ  開口部
３ｂ  凸部
３ｃ  凹部
４  面板部材
４ａ  開口部
４ｂ  凸部
４ｃ  凹部
４ｄ  開口部
４ｅ  支持部材
４ｆ  手動ポンプ取付口
４ｇ  底版フィルタ
４ｈ  開口部
５  面板部材
５ａ  開口部
５ｂ  凸部
５ｃ  凹部
５ｄ  開口部
７（７Ａ、７Ｂ）  桝
７ａ  蓋
９  側板部材
９ａ  開口部
９ｂ  コーナーアングル
１０  中間板
１１  遮水シート
１２  手動ポンプ
３１  地下埋設型雨水利用槽
３２  ホース
４１  地下埋設型雨水利用槽
４２  バケツ
４３  ごみ除去フィルタ
【図１】
0005825977.tif 000002
【図２】
0005825977.tif 000003
【図３】
0005825977.tif 000004
【図４】
0005825977.tif 000005